(57)【要約】  本発明の一実施例によるパララックスバリアは、複数の単位ピクセルが定義され、ｎ視点を具現するディスプレーパネルの一面に配置される。このようなパララックスバリアは、複数の単位ピクセルにそれぞれ対応する複数の透光部及び複数の遮光部を備え、ｎは２以上の整数であり、ｎをｎの約数であるｐで割った値であるｑから１を引いた値をｍとする場合、行方向で透光部に対応する単位ピクセル１つと遮光部に対応する単位ピクセルｍ個が繰り返し配置されるように形成される。
2014510935.tif 000002
【特許請求の範囲】
【請求項１】
複数の単位ピクセルが定義され、ｎ視点を具現するディスプレーパネルの一面に配置されるパララックスバリアにおいて、
前記複数の単位ピクセルにそれぞれ対応する複数の透光部及び複数の遮光部を備え、
前記ｎは２以上の整数であり、
前記ｎを前記ｎの約数であるｐで割った値であるｑから１を引いた値をｍとする場合、行方向で前記透光部に対応する単位ピクセル１つと前記遮光部に対応する単位ピクセルｍ個が繰り返し配置されるように形成されるパララックスバリア。
【請求項２】
前記透光部が前記ディスプレーパネルの対角線方向に沿って形成され、
前記行方向による前記単位ピクセルの幅をＡ、列方向による前記単位ピクセルの長さをＢとする時、前記透光部の傾斜度（Ｃ）は次の数学式による請求項１に記載のパララックスバリア。
【数５】
2014510935.tif 000007
【請求項３】
前記ｎは４以上の整数であり、２の倍数であり、前記ｐは２である請求項１に記載のパララックスバリア。
【請求項４】
前記透光部が前記ディスプレーパネルの対角線方向に沿って形成され、
前記透光部の傾斜度が７９〜８２度である請求項３に記載のパララックスバリア。
【請求項５】
前記透光部が前記ディスプレーパネルの対角線方向に沿って形成され、
前記透光部の境目は斜線形態を有するか、階段形状を有する請求項１に記載のパララックスバリア。
【請求項６】
硝子を含む透明基板；及び
前記透明基板上に形成されたバリアーパターンを含む請求項１に記載のパララックスバリア。
【請求項７】
複数の単位ピクセルが定義され、ｎ視点を具現するディスプレーパネルの一面に配置されるパララックスバリアにおいて、
前記複数の単位ピクセルにそれぞれ対応する複数の透光部及び複数の遮光部を備え、
前記ｎは２以上の整数であり、
前記ｎを前記ｎの約数であるｐで割った値であるｑから１を引いた値をｍとする場合、
前記透光部と前記遮光部の幅の比が０．９５：（ｍ＋０．０５）〜１．３３：（ｍ−１．３３）であるパララックスバリア。
【請求項８】
複数の単位ピクセルが定義されるディスプレーパネルの一面に配置されるパララックスバリアにおいて、
前記複数の単位ピクセルにそれぞれ対応する複数の透光部及び複数の遮光部を備え、
前記透光部が前記ディスプレーパネルの対角線方向に沿って形成され、
前記透光部の傾斜度が７９〜８２度であるパララックスバリア。
【請求項９】
複数の単位ピクセルが定義され、ｎ視点を具現するディスプレーパネル；及び
前記ディスプレーパネルの一面に配置されるパララックスバリアを含み、
前記パララックスバリアは、前記複数の単位ピクセルにそれぞれ対応する複数の透光部及び複数の遮光部を備え、
前記ｎは２以上の整数であり、
前記ｎを前記ｎの約数であるｐで割った値であるｑから１を引いた値をｍとする場合、行方向で前記透光部に対応する単位ピクセル１つと前記遮光部に対応する単位ピクセルｍ個が繰り返し配置されるように形成される立体表示装置。
【請求項１０】
前記ディスプレーパネルでは、
前記行方向に隣接した前記ｑ個の単位ピクセルが一つの単位行を成し、
列方向に隣接した前記ｐ個の単位行によって前記ｎ視点を具現する請求項９に記載の立体表示装置。
【請求項１１】
前記ｎは４以上の整数であり、２の倍数であり、前記ｐは２であり、
前記行方向に隣接した前記ｑ個の単位ピクセルが第１単位行を構成し、
前記第１単位行に列方向に隣接して、前記行方向に隣接した前記ｑ個の単位ピクセルが第２単位行を構成し、
前記第１単位行と前記第２単位行によって前記ｎ視点を具現する請求項９に記載の立体表示装置。
【請求項１２】
前記ディスプレーパネルでは、前記ｎ視点の映像の中の奇数にあたる映像が前記第１単位行に順次に投射され、前記ｎ視点の映像の中の偶数にあたる映像が前記第２単位行に順次に投射される請求項１１に記載の立体表示装置。
【請求項１３】
前記透光部が前記ディスプレーパネルの対角線方向に沿って形成され、
前記行方向による前記単位ピクセルの幅をＡ、列方向による前記単位ピクセルの長さをＢとする時、前記透光部の傾斜度（Ｃ）は次の数学式による請求項９に記載の立体表示装置。
【数６】
2014510935.tif 000008
【請求項１４】
前記ｎが４以上の整数で、２の倍数であり、前記ｐが２である請求項９に記載の立体表示装置。
【請求項１５】
前記透光部が前記ディスプレーパネルの対角線方向に沿って形成され、
前記透光部の傾斜度が７９〜８２度である請求項１４に記載の立体表示装置。
【請求項１６】
前記透光部が前記ディスプレーパネルの対角線方向に沿って形成され、
前記透光部の境目は斜線形態を有するか、階段形状を有する請求項９に記載の立体表示装置。
【請求項１７】
前記パララックスバリアは、
硝子を含む透明基板；及び
前記透明基板上に形成されたバリアーパターンを含む請求項９に記載の立体表示装置。
【発明の詳細な説明】
【技術分野】
【０００１】
本発明はパララックスバリア及びこのパララックスバリアを含む立体表示装置に関する。
【背景技術】
【０００２】
３次元映像表示技術は、左眼と右眼の映像に互いに差が発生する両眼視差（ｂｉｎｏｃｕｌａｒ  ｐａｒａｌｌａｘ）によって立体感を感じるようにする技術である。３次元映像を見る方式は、眼鏡式と裸眼式などに大別されることができる。眼鏡式は眼鏡をかけなければならないという不便があり、眼鏡をかけた状態で立体映像以外の他の事物を観察しにくいことがある。そこで裸眼式に対する研究が積極的に行われている。
【０００３】
裸眼式は、円筒状のレンズを用いるレンチキュラー（ｌｅｎｔｉｃｕｌａｒ）レンズ方式と、透光部と遮光部を用いるパララックスバリア方式とに分けられることができる。レンチキュラーレンズ方式では、レンズを用いるため、映像が歪曲されるという問題が発生する虞がある。一方、パララックスバリア方式は複数の位置で立体的観覧が可能になるという長所がある。
【０００４】
ただ、パララックスバリア方式を利用して多視点（ｍｕｌｔｉ−ｖｉｅｗ）の立体映像を具現すると透光部の比率が非常に低い。即ち、ｎ個の視点数を具現する場合、透光部と遮光部の比が１：ｎ−１になって、透光部の比率が非常に低くなるしかない。このように、透光部の比率が低くなると、表示装置で映像を表示する部分の比率が小さくなって、解像度が低下する虞がある。
【発明の概要】
【発明が解決しようとする課題】
【０００５】
本発明は多視点を具現しながらも輝度及び解像度を向上させることができるパララックスバリア及びこのパララックスバリアを含む立体表示装置を提供することを目的とする。
【課題を解決するための手段】
【０００６】
本発明の一実施例によるパララックスバリアは、複数の単位ピクセルが定義され、ｎ視点を具現するディスプレーパネルの一面に配置される。前記パララックスバリア、前記複数の単位ピクセルにそれぞれ対応する複数の透光部及び複数の遮光部を備え、前記ｎは２以上の整数であり、前記ｎを前記ｎの約数であるｐで割った値であるｑから１を引いた値をｍとする場合、行方向で前記透光部に対応する単位ピクセル１つと前記遮光部に対応する単位ピクセルｍ個が繰り返し配置されるように形成される。
【０００７】
前記透光部が前記ディスプレーパネルの対角線方向に沿って形成され、前記行方向による前記単位ピクセルの幅をＡ、列方向による前記単位ピクセルの長さをＢとする時、前記透光部の傾斜度Ｃは次の数学式による。
【０００８】
【数１】
2014510935.tif 000003
【０００９】
前記透光部が前記ディスプレーパネルの対角線方向に沿って形成され、前記透光部の傾斜度が７９〜８２度であることができる。
【００１０】
前記透光部が前記ディスプレーパネルの対角線方向に沿って形成され、前記透光部の境目は斜線形態を有するか、階段形状を有することができる。
【００１１】
前記パララックスバリアは、硝子を含む透明基板；及び前記透明基板上に形成されたバリアーパターンを含むことができる。
【００１２】
本発明の一実施例によるパララックスバリアは、複数の単位ピクセルが定義され、ｎ視点を具現するディスプレーパネルの一面に配置される。前記パララックスバリアは、前記複数の単位ピクセルにそれぞれ対応する複数の透光部及び複数の遮光部を備え、前記ｎは２以上の整数であり、前記ｎを前記ｎの約数であるｐで割った値であるｑから１を引いた値をｍとする場合、前記透光部と前記遮光部の幅の比が０．９５：（ｍ＋０．０５）〜１．３３：（ｍ−１．３３）である。
【００１３】
本発明の一実施例によるパララックスバリアは、複数の単位ピクセルが定義されるディスプレーパネルの一面に配置される。前記パララックスバリアは、前記複数の単位ピクセルにそれぞれ対応する複数の透光部及び複数の遮光部を備え、前記透光部が前記ディスプレーパネルの対角線方向に沿って形成され、前記透光部の傾斜度が７９〜８２度である。
【００１４】
一方、本発明による立体表示装置は、複数の単位ピクセルが定義され、ｎ視点を具現するディスプレーパネル；及び前記ディスプレーパネルの一面に配置されるパララックスバリアを含む。前記パララックスバリアは、前記複数の単位ピクセルにそれぞれ対応する複数の透光部及び複数の遮光部を備え、前記ｎは２以上の整数であり、前記ｎを前記ｎの約数であるｐで割った値であるｑから１を引いた値をｍとする場合、行方向で前記透光部に対応する単位ピクセル１つと前記遮光部に対応する単位ピクセルｍ個が繰り返し配置されるように形成される。
【００１５】
前記ディスプレーパネルでは、前記行方向に隣接した前記ｑ個の単位ピクセルが一つの単位行を成し、列方向に隣接した前記ｐ個の単位行によって前記ｎ視点を具現することができる。
【００１６】
前記ｎは４以上の整数であり、２の倍数であり、前記ｐは２であり、前記行方向に隣接した前記ｑ個の単位ピクセルが第１単位行を構成し、前記第１単位行に列方向に隣接して、前記行方向に隣接した前記ｑ個の単位ピクセルが第２単位行を構成し、前記第１単位行と前記第２単位行によって前記ｎ視点を具現することができる。
【００１７】
前記ディスプレーパネルでは、前記ｎ視点の映像の中の奇数にあたる映像が前記第１単位行に順次に投射され、前記ｎ視点の映像の中の偶数にあたる映像が前記第２単位行に順次に投射されることができる。
【００１８】
前記透光部が前記ディスプレーパネルの対角線方向に沿って形成され、前記行方向による前記単位ピクセルの幅をＡ、列方向による前記単位ピクセルの長さをＢとする時、前記透光部の傾斜度Ｃは次の数学式による。
【００１９】
【数２】
2014510935.tif 000004
【００２０】
前記透光部が前記ディスプレーパネルの対角線方向に沿って形成され、前記透光部の傾斜度が７９〜８２度であることができる。
【００２１】
前記透光部が前記ディスプレーパネルの対角線方向に沿って形成されることができる。この時、前記透光部の境目は斜線形態を有するか、階段形状を有することができる。
【００２２】
前記パララックスバリアは、硝子を含む透明基板；及び前記透明基板上に形成されたバリアーパターンを含むことができる。
【発明の効果】
【００２３】
本発明の一実施例による立体表示装置では、同じｎ個の多視点を具現しながらもパララックスバリアでの透光部の比率を向上させることができるように駆動されて、輝度及び解像度を向上させることができる。この時、ｎ視点を具現するために、ｎ個の単位ピクセルを用いる場合、ｎを２の倍数にし、ｎ個の単位ピクセルを二つの行に配置してディスプレーパネルで具現される映像に横線が発生することを防止することができる。これによって画質及び輝度を向上させることができる。
【００２４】
また、バリアパターンを形成する透明基板を硝子基板にして、ディスプレーパネルで具現される映像が歪みなどの問題なしに、高い透過率で透過することができるようする。これによって、画質及び輝度をより向上させることができる。
【図面の簡単な説明】
【００２５】
【図１】本発明の一実施例による立体表示装置の概略的な断面図である。
【図２】本発明の変形例による立体表示装置の概略的な断面図である。
【図３】本発明の一実施例によるディスプレーパネルの単位ピクセルとこれに対応するパララックスバリアの遮光部及び透光部を概略的に示した平面図である。
【図４】本発明の一実施例によるディスプレーパネルで多視点を具現する単位ピクセルとこれに対応するパララックスバリアの遮光部及び透光部を概略的に示した平面図である。
【図５】本発明の一例によるディスプレーパネルで映像の分布を示した図面である。
【図６】本発明の一例によるディスプレーパネルで映像の分布を示した図面である。
【図７】従来のディスプレーパネルの単位ピクセルとこれに対応する従来のパララックスバリアの遮光部及び透光部を概略的に示した平面図である。
【図８】本発明の他の実施例によるディスプレーパネルで多視点を具現する単位ピクセルとこれに対応するパララックスバリアの遮光部及び透光部を概略的に示した平面図である。
【図９】本発明の他の実施例による立体表示装置の概略的な断面図である。
【発明を実施するための形態】
【００２６】
以下、添付した図面を参照して本発明の一実施例によるパララックスバリア及びこれを含む立体表示装置を詳細に説明すれば次の通りである。
【００２７】
図１は本発明の一実施例による立体表示装置の概略的な断面図であり、図２は本発明の変形例による立体表示装置の概略的な断面図である。
【００２８】
図１によれば、本実施例の立体表示装置１０は、複数の単位ピクセル２１０（図３参照、以下同一）が定義され、多視点を具現するディスプレーパネル１００と、ディスプレーパネル１００の駆動を制御する駆動部３００と、ディスプレーパネル１００の一面（より正確には前面）に配置されるパララックスバリア２０とを含むことができる。
【００２９】
一例として、ディスプレーパネル１００は液晶ディスプレーパネル（ｌｉｑｕｉｄ  ｃｒｙｓｔａｌ  ｄｉｓｐｌａｙ、ＬＣＤ）、プラズマディスプレーパネル（ｐｌａｓｍａ  ｄｉｓｐｌａｙｐａｎｅｌ、ＰＤＰ）、発光ダイオード（ｌｉｇｈｔ  ｅｍｉｔｔｉｎｇ  ｄｉｏｄｅ、ＬＥＤ）を利用したディスプレーパネルなどを用いることができる。しかし、本発明がこれに限定されるのではなく、多様な方式のディスプレーパネル１００を用いることができることは勿論である。
【００３０】
このようなディスプレーパネル１００には行方向及び列方向のそれぞれに複数の単位ピクセル２１０が定義され、本実施例では、ディスプレーパネル１００が多視点の映像を具現する。以下では、便宜のためにディスプレーパネル１００の視点数をｎ個とする。ここで、ｎは２以上の整数である。
【００３１】
駆動部３００はディスプレーパネル１００の駆動を制御するためのもので、多視点の映像信号をディスプレーパネル１００に提供して、多視点による立体映像を具現することができるようにする。本実施例で、駆動部３００は複数の列と複数の行で定義される単位ピクセル２１０に多視点の映像を具現するように制御する。これについては図３及び図４を参照してさらに詳細に説明する。参考に、従来には一つの行の複数の列で多視点の映像を表示した。
【００３２】
ディスプレーパネル１００の前面に位置するパララックスバリア２０は多視点の映像を選択的に透過させて、観察者の両眼で互いに異なる映像を見られるように視差障壁を形成する。このために、パララックスバリア２０はディスプレーパネル１００の単位ピクセル２１０にそれぞれ対応する複数の透光部１１０及び複数の遮光部１２０を含む。
【００３３】
さらに詳しくは、図１に示したように、パララックスバリア２０は、透明基板１３０、この透明基板１３０上に形成されたバリアーパターン１２５を含むことができる。
【００３４】
ここで、バリアーパターン１２５は紫外線インクまたは熱硬化性インクを塗布及び乾燥した後パターニングして形成されることができるが、本発明はこれに限定されない。バリアーパターン１２５が形成された部分が遮光部１２０を構成し、バリアーパターン１２５が形成されない部分が透光部１１０を構成する。遮光部１２０と透光部１１０の平面的な配置については図３及び図４を参照してより詳しく説明する。
【００３５】
透明基板１３０は一例として硝子基板であってもよい。透明基板１３０として硝子基板を用いると、高い透過率を有し、別途の基板を用いなくても良い。従って、ディスプレーパネル１００で具現される映像が歪曲などの問題なしに高い透過率に透過されることができるようにする。
【００３６】
一方、従来のパララックスバリアは、パターニングされた高分子フィルム（一例として、ポリエチレンテレフタレート（Ｐｏｌｙｅｔｈｙｌｅｎｅ  ｔｅｒｅｐｈｔｈａｌａｔｅ、ＰＥＴ）フィルム）を接着剤を利用して強化硝子に積層（ｌａｍｉｎａｔｉｎｇ）して用いられた。一般的に、高分子フィルム、強化硝子などの透過率は一般の硝子の透過率より低い水準であり、これを一緒に用いた従来のパララックスバリアは透過率が顕著に低いしかない。また、高分子フィルム、強化硝子及び接着剤の屈折率の差によって相殺干渉が起きることがあり、これによってモアレ（ｍｏｉｒｅ）現象が発生することができる。
【００３７】
このように、本実施例では、透明基板１３０を硝子基板で形成して、映像の歪曲なしに高い透過率を有することができるようにする。しかし、本発明が透明基板１３０の物質に限定されるのではなく、透明基板１３０として多様な物質を用いることができる。
【００３８】
このようなパララックスバリア２０は、接着層１４０によってディスプレーパネル１００の前面に付着されて固定される。接着層１４０としては多様な物質を用いることができ、一例として、紫外線接着剤、可視光接着剤、赤外線接着剤及び熱接着剤などの物質を用いることができる。
【００３９】
このような接着層１４０は透明基板１３０の屈折率と類似する屈折率を有して、モアレを最小化し、ニュ−トンリング（ＮｅｗｔｏｎＲｉｎｇ）の発生を防止することが好ましい。一例として、透明基板１３０が硝子基板で形成された場合、接着層１４０は硝子基板の屈折率と類似する約１．４８〜１．５４の屈折率を有することができる。
【００４０】
図１及び上述した説明では、パララックスバリア２０が透明基板１３０、この透明基板１３０上に形成されたバリアーパターン１２５で構成されたことを例示したが、本発明はこれに限定されるのではない。
【００４１】
従って、変形例として、図２に示したように、パララックスバリア２２が透明基板１３０及びバリアーパターン１２５と、この透明基板１３０とバリアーパターン１２５上に形成された接着層１４０と、この接着層１４０によって接着される別途の透明基板１５０とを含むことができる。上述した別途の透明基板１５０は透明基板１３０と同じ物質を含むことができる。本変形例で、パララックスバリア２２とディスプレーパネル１００は接着層（図示しない）または固定部材（図示しない）によって結合されることができる。その外にも多様な断面構造を有するパララックスバリアを用いることができることは勿論である。
【００４２】
上述したパララックスバリア２０の平面構造と、このようなパララックスバリア２０が用いられるディスプレーパネル１００を駆動する方法を図３を参照してさらに詳しく説明する。
【００４３】
図３は本発明の一実施例によるディスプレーパネルの単位ピクセルとこれに対応するパララックスバリアの遮光部及び透光部を概略的に示した平面図である。図４は本発明の一実施例によるディスプレーパネルで多視点を具現する単位ピクセルとこれに対応するパララックスバリアの遮光部及び透光部を概略的に示した平面図である。
【００４４】
図面を参照すれば、本実施例で、ディスプレーパネル１００には、複数の単位ピクセル２１０が定義される。さらに具体的に、複数の単位ピクセル２１０は行方向（図面のｘ軸方向）で複数の列を有し、列方向（図面のｙ軸方向）で複数の行を有して配置される。このような単位ピクセル２１０は赤光を放出する赤色ピクセル、緑光を放出する緑色ピクセル、青光を放出する青色ピクセルを含むことができる。一例として、行方向に隣接した一つの赤色ピクセル、一つの緑色ピクセル及び一つの青色ピクセルが一つのピクセルを成して映像を表示することができるが、本発明はこれに限定されない。従って、赤色、緑色、青色以外の色を含んで一つのピクセルを成すなど多様な変形が可能であることは勿論である。
【００４５】
本実施例におけるディスプレーパネル１００では、ｎ個の視点数を有する映像を表示する際、ｎ視点が一行または一列の単位ピクセル１２０で具現されるのではなく、複数の行及び複数の列の単位ピクセル１２０で表示される。
【００４６】
より具体的には、行方向に隣接したｑ個の単位ピクセルが一つの単位行を成す。列方向に隣接したｐ個の単位行に位置した単位ピクセル２１０（即ち、図４に示されたｐ個＊ｑ個の単位ピクセル）によってｎ視点が具現される。ここで、ｎは２以上の整数であり、ｐとｑはｎの約数で、ｐとｑの積がｎになる。より正確には、複数の行と複数の列によって位置した単位ピクセル２１０を利用してｎ視点を具現するので、最少２つの行と２つの列を具備しなければならない。その故、ｎは４以上の整数である。
【００４７】
例えば、図３及び図４では、行方向に隣接した４つの単位ピクセルで成る単位行を２つ用いて８つの視点を具現する。即ち、行方向に隣接した４つの単位ピクセルからなる単位行を２つ利用すれば、総８つの単位ピクセルを有するようになるので、８つの視点を具現することができる。ここで、ｑが４になり、ｐが２になる。図面では、一例として８つの視点数を有することを示したが、本発明はこれに限定されるのではない。従って、本発明は多様なｎ、ｐ、ｑの値を有することができることは勿論である。
【００４８】
ここで、ｎが２の倍数であり、ｐが２であってもよい。それで、行方向に隣接したｑ個の単位ピクセルを含む第１単位行（以下「奇数行」）２１１と、奇数行に隣接し、行方向に隣接したｑ個の単位ピクセルを含む第２単位行（以下「偶数行」）２１２とでｎ視点を具現することができる。これによって、光の回折によってディスプレーパネル１００で具現される映像に横線が発生する現象を防止することができる。
【００４９】
さらに詳しく説明すれば、ｎが奇数である場合、ｐ、ｑも奇数である。この場合には、光の回折のため、ディスプレーパネル１００で具現される映像に横線が発生することがある。このような現象はｎが３の倍数である時より目立って現われる。
【００５０】
例えば、９視点を３つの列と３つの行の単位ピクセルで具現する場合、横線が発生する。これを考慮して、本発明ではｎを２の倍数にし、ｐを２にして横線の発生を最少化した。また、ｎ、ｐ、ｑが全部３の倍数でないことが好ましい。
【００５１】
この時、駆動部３００（図１参照、以下同一）は、ｎ視点の中で奇数にあたる単位ピクセル映像を第１単位行２１１に順次に位置させ、ｎ視点の中で偶数にあたる単位ピクセル映像を第２単位行２１２に順次に投射されるようにする。即ち、８視点の場合を例に挙げれば、第１単位行２１１の第１４単位ピクセルＰ１４に第１映像、第１３単位ピクセルＰ１３に第３映像、第１２単位ピクセルＰ１２に第５映像、第１１単位ピクセルＰ１１に第７映像が投射され、第２単位行２１２の第２４単位ピクセルＰ２４に第２映像、第２３単位ピクセルＰ２３に第４映像、第２２単位ピクセルＰ２２に第６映像、第２１単位ピクセルＰ２１に第８映像が投射されることができる。さらに具体的に、ディスプレーパネル１００の全体に投射される映像をよく見れば次の通りである。図５は本発明の一例によるディスプレーパネルで映像の分布を示した図面である。図５を参照すれば、ｎ視点を具現する８つの単位ピクセルＰＰは上方へ行きながら一つの単位ピクセルだけ右側にシフトされる斜線形態を有することができる。この場合には、８つの単位ピクセルＰＰを成す第１単位行及び第２単位行の中の下側に位置した単位行Ｐ１で右側から左側に第１、３、５、７映像が位置し、上側に位置した単位行Ｐ２に右側から左側に第２、４、６、８映像が位置することができる。
【００５２】
しかし、本発明はこれに限定されるのではなく、図６に示したように、ｎ視点を具現する８つの単位ピクセルＰＰが上方へ行きながら一つの単位ピクセルだけ左にシフトされる斜線形態を有することができる。この場合には、８つの単位ピクセルＰＰを成す第１単位行及び第２単位行の中の下側に位置した単位行Ｐ１で右側から左側に第２、４、６、８映像が位置し、上側に位置した単位行Ｐ２で右側から左側に第１、３、５、７映像が位置することができる。
【００５３】
このようなディスプレーパネル１００に用いられるパララックスバリア２０では、行方向で見る時、透光部１１０に対応する単位ピクセル一つと遮光部１２０に対応する単位ピクセルｍ個が繰り返して配置される。ここで、ｍはｑから１を引いた数である。このようにｎ視点をｑ個の列とｐ個の行で具現すれば、透光部１１０と遮光部１２０の比が１：ｍ（即ち、１：（ｑ−１））であるので、遮光部１２０の比率を減らして、透光部１１０の比率を増加させることができる。このように、透光部１１０の比率を増加させることによって、輝度及び解像度を増加させることができるという長所がある。
【００５４】
より明確に説明するために、図４とともに図７を参照して説明する。図７は従来のディスプレーパネルで多視点を具現する単位ピクセルとこれに対応する従来のパララックスバリアの遮光部及び透光部を概略的に示した平面図である。
【００５５】
本実施例では、図４に示したように、ｎが８、ｐが２、ｑが４の場合に、パララックスバリア２０で行方向に見る時、透光部１１０と遮光部１２０の比が１：３である。即ち、８視点を具現する時、パララックスバリア２０で透光部１１０と遮光部１２０の比が１：３である。
【００５６】
一方、図７に示すように、従来には、ｎ視点を具現するために、ｎ個の映像を一つの行で隣接したｎ個の単位ピクセル２１２に表示する。パララックスバリア２２で行方向に見る時、透光部１１２と遮光部１２２の比が１：（ｎ−１）である。例えば、８視点を具現する時、パララックスバリア２２で透光部１１２と遮光部１２２の比が１：７になる。
【００５７】
従って、本実施例では、同じ個数の多視点を具現しながらもパララックスバリア２０での透光部１１０の比率を向上させることができるので、それだけ輝度及び解像度を向上させることができる。例えば、上述したように、ｎが２の倍数で、ｐが２の場合に、輝度及び解像度は２倍以上増加することができる。
【００５８】
図面では、簡単に説明するために、透光部１１０と単位ピクセル２１０が互いに同じ大きさを有することを例示したが、本発明はこれに限定されるのではない。実際には、各単位ピクセル２１０に対応する透光部１１０の大きさを各単位ピクセル２１０の大きさより小さくしてもよい。
【００５９】
また、視点数が小さい場合より視点数が大きい場合透光部１１０の大きさの比率を相対的に大きくすることができる。これは一つの単位ピクセル２１０に対して光の波長が所定回数で通過することができるように設計して、干渉現象を最小化し、結果的にモアレ現象を最小化するためのものである。同時に、工程誤差などを考慮すれば、透光部１１０と遮光部１２０の幅比が０．９５：（ｍ＋０．０５）〜１．３３：（ｍ−１．３３）であってもよい。０．９５：（ｍ＋０．０５）〜１．２：（ｍ−１．２）がより好ましい。
【００６０】
本実施例では、透光部１１０がディスプレーパネル１００の対角線方向に沿って形成されて、多視点映像が柔らかく表現されることができる。この時、上述したように、本実施例のパララックスバリア２０は透過率及び屈折率の特性を向上させたので、モアレ現象が発生することを効果的に防止することができる。
【００６１】
この時、上述したように、ｐ個の行とｑ個の列に位置した単位ピクセルに多視点を具現すると、透光部１１０の傾斜度は従来の透光部１１２の傾斜度より大きくなる。即ち、行方向による単位ピクセルの幅ｗをＡ、列方向による単位ピクセルの長さｌをＢとする時、透光部１１０の傾斜度であるＣは理論的に次の数学式１による。
【００６２】
【数３】
2014510935.tif 000005
【００６３】
実際には誤差などがあり得ることを考慮する時、透光部１１０の傾斜度であるＣは次の数学式２による。
【００６４】
【数４】
2014510935.tif 000006
【００６５】
常用化された単位ピクセルの長さｌ及び幅ｗを考慮すれば、透光部１１０の傾斜度が７９〜８２度であることができる。
【００６６】
一方、図７のように、ｎ視点を具現するための単位ピクセルが一つの行に位置した従来技術では、透光部１１２の傾斜度はＢをＡで割った値である。従って、従来技術の透光部１１２の傾斜度は、本実施例の透光部１１０の傾斜度より非常に小さい。このように、本実施例では、透光部１１０の傾斜度を従来技術より大きくして、相対的に透光部１１０の比率を高めることができる。
【００６７】
上述した説明及び図面では、透光部１１０の境目が斜線形態を有することを例示したが、本発明がこれに限定されるのではなく、図８に示したように、パララックスバリア２４で遮光部１２４と透光部１１４の境目の少なくとも一部が単位ピクセル２１０の境界に沿う階段形状を有しながらディスプレーパネル１００の対角線方向に沿って形成されることもできる。より詳しくは、実際には、一つの行では透光部１１４の境目が単位ピクセル２１０の境目と一致し、これに接した他の一つの行では透光部１１４の境目が単位ピクセル２１０の仮中心線と実質的に一致することができる。このような形状を有する透光部１１４によれば、多視点映像の境界を明確にさせて、明確な映像を具現することができる。
【００６８】
本発明はこれに限定されるのではなく、これ以外にも多様な形状の透光部が形成されることができることは勿論である。
【００６９】
また、バックライトユニット（図示しない）を用いる手動発光立体表示装置１２では、図９に示したように、パララックスバリア２０がディスプレーパネル１００の後面に位置することもできる。この時は、パララックスバリア２０の透光部１１０の幅を単位ピクセルの幅より大きくすることができる。これによって使用者にバリアーラインが見えないようにすることができて、バリアーラインによって発生されることができる使用者の拒否感を解消することができる。
【００７０】
上述した特徴、構造、効果などは本発明の少なくとも一つの実施例に含まれ、必ずしも一つの実施例のみに限定されるのではない。さらに、各実施例で例示された特徴、構造、効果などは実施例が属する分野の通常の知識を有する者によって他の実施例に対しても組合または変形されて実施可能である。従って、このような組合及び変形に係る内容は本発明の範囲に含まれるものと解釈されるべきである。
【図１】
2014510935.tif 000009
【図２】
2014510935.tif 000010
【図３】
2014510935.tif 000011
【図４】
2014510935.tif 000012
【図５】
2014510935.tif 000013
【図６】
2014510935.tif 000014
【図７】
2014510935.tif 000015
【図８】
2014510935.tif 000016
【図９】
2014510935.tif 000017
【国際調査報告】
2014510935.tif 000018
2014510935.tif 000019
2014510935.tif 000020
2014510935.tif 000021